(57)【要約】      （修正有）【課題】ノートパソコンをキャリバッグに収納可能にして、持ち運びできるようにし、またキャリバッグの持ち運びに乱雑さで、ノートパソコンをキャリバッグ外部からの衝撃から保護するようにしたキャリバッグを提供する。【解決手段】衣類等の日用品を収納し、伸縮棒の引き出し長さを調整してキャスター３０により運搬可能なキャリバッグ１０であって、該バッグの周囲をファスナー１４により、前記衣類等の日用品を収納する第１のケース１２と引出部１３を設けた第２のケース１１とに分離し、第２のケース１１はノートパソコン１３３を収納する収容部１３１を有するとともに、その周囲を発砲スチロール等の緩衝材で保護形成した。収容部１３１にはキャリバッグ１０側との間にレール１６を設けた。【選択図】図２
0003209955.tif 000002
【実用新案登録請求の範囲】
【請求項１】
衣類等の日用品を収納し、収縮時の長さを調整してキャスターにより運搬可能なキャリバッグであって、該バックの周囲をファスナーにより、前記衣類等の日用品を収納する第１のケースと引出部を設けた第２のケースとに分離し、前記第２の引出部はノートパソコンを収納可能にするとともに、その周囲を発砲スチロール等の緩衝材で保護形成したことを特徴とするキャリバッグ。
【請求項２】
前記収納部には前記キャリバッグ側との間にレール構造を設けたことを特徴とする請求項１に記載のキャリバッグ。
【請求項３】
前記ノートパソコンを収納した収納部がキャリバッグの衝撃により開放しないように、前記収納用かキャリバッグ側のいずれかにマグネットを備えたことを特徴とする請求項１又は２に記載のキャリバッグ。
【請求項４】
前記ノートパソコンを収容した収容部を引き出す取手を、キャリバッグの外側の前記収容部に設けたことを特徴とする請求項３に記載のキャリバッグ。
【考案の詳細な説明】
【技術分野】
【０００１】
本考案は、スーツケースとも称されるキャリバッグの改良に関するものである。
【背景技術】
【０００２】
現在、収納量が多いこともあって、内外の旅行はもちろんビジネスにおいてもキャリバッグは数多く利用されている。
【０００３】
また、キャリバッグの他に、ノートパソコンもビジネスで利用され、前記キャリバッグとともに運搬されている。しかし、キャリバッグとノートパソコンを個別に運搬されると、片方を持ち忘れてしまうこともあり、ノートパソコンを忘れてしまうと、パソコンの情報量の多さによりビジネスに支障をきたす問題もある。
【考案の概要】
【考案が解決しようとする課題】
【０００４】
本考案は、上記問題を解決したものであり、その第１の目的はノートパソコンをキャリバッグに収納可能にして、持ち運びできるようにし、またキャリバッグの持ち運びに乱雑さで、ノートパソコンをキャリバッグ外部からの衝撃から保護するようにしたキャリバッグの構造を提供せんとする。
【０００５】
また、キャリバッグに収納したノートパソコンをスムーズに出し入れできるようにしたことを第２の目的とする。
【０００６】
ノートパソコンをスムーズにキャリバッグから出し入れできるようにすると、キャリバッグの搬送時など、ノートパソコンが不要な場合にもキャリバッグから飛び出すことも考えられる。本考案は搬送時等ノートパソコンの不要時にはキャリバッグから簡単に飛び出さないようにすることを第３の目的とする。
【０００７】
さらに、ノートパソコンを収納した収納部から容易に引き出し収納できるように収納部にある磁石に抗して引き出す取手を設けるようにしたことを第４の目的とする。
【０００８】
キャリバッグは従来同様、衣類等の日用品を収納する第１のケースと、ノートパソコンを収納する第２のケースとに分離して互いをファスナーにより区割りしたものである。
【０００９】
つぎに、前記第２のケースにはノートパソコンを収納する第２のケースと日用品等を収納する第１のケースとの間にはレール構造を設けることにより、第２ケースを第１ケースからスムーズに引出し、収納を可能にした。
【００１０】
さらに、キャリバッグの搬送により、ノートパソコンが不要な折においても、キャリバッグから脱出してしまう虞れがあるものを鋼製でできた第２のケースをキャリバッグ側に設けたマグネットにより磁着してキャリバッグからノートパソコンを容易に脱出しないようにすることができる。
【００１１】
さらにまた、ノートパソコンをその収容部から取り出す際には前記マグネットに抗して容易にノートパソコンの収容部を引き出すことができるように収容部のキャリバッグの外側に取手を設けると便利である。
【考案の効果】
【００１２】
本考案ではキャリバッグの収容部にノートパソコンを収容できるようにしたので、ノートパソコンを忘れることなくキャリバッグのみを携帯することができ、忘失することも少なくなる。また、仮にキャリバッグを路肩の乗り上げ等で乱雑に取り扱っても、ノートパソコンをキャリバッグから飛び出したり、その機能を失うことがないようにした。
【００１３】
また、ノートパソコンの収容部のキャリバッグの外側には収容部を引き出すための取手が設けられており、ノートパソコンの出し入れを容易にしている。
【図面の簡単な説明】
【００１４】
図１は本考案のキャリバッグの外観斜視図である。
図２は図１のノートパソコンの収容部の一部を引き出した状態の斜視図である。
図３はノートパソコンを収納した第２のケースをキャリバッグ側に取り付けたマグネットに磁着する直前を説明する一部破断平面図である。
図４はパソコンを収納した第２のケースを第１のケースから引き出してノートパソコンを取り出す直前を説明する一部破断側面図である。
図５は図４から取手を握って引出部とともにノートパソコンを載置した引出部を一部引き出した一部破断側面図である。
【考案を実施するための形態】
【００１５】
本考案を実施するための好ましい実施例を以下に説明する。
図１は、本考案のキャリバッグ１０の外観斜図であり、通常この状態でノートパソコン(図示せず)は引出部１３内に収納して、キャリバッグ１０の取手である伸縮棒２０の引き出し長さを調整してこれを引っ張り、キャスター３０によって、持ち運ばれる。
【００１６】
このキャリバッグは通常本や衣類等が収納される第１のケース１２と本考案の要旨であるノートパソコン１３３（図示せず）を収納する収容部１３１（図示せず）を有する第２のケース１１とにファスナー１４を介し分離される。
【００１７】
図２は図１の引出部１３に設けた取手１３２によって引出部１３が一部引き出され、ノートパソコン１３３の一部が見えている。
【００１８】
図３は、ノートパソコン１３３をキャリバッグ１０に収納した第２のケース１１の奥側先部の拡大図である。ノートパソコン１３３を裁置した第２のケース１１の引出部１３の先部が一番奥に至った箇所のキャリバッグ１０の本体側にマグネット１５が固着され、鋼材でできた引出部１３の先部がマグネット１５に突き当てられると、マグネットにより磁着して引出部１３が容易に開かないようにしている。
【００１９】
なお、マグネットは上述したようにキャリバッグ側に左右一対の２箇所のみに設けてもよいが、これら２箇所に対向するキャリバッグ１０本体にもそれぞれ２箇所１５′のマグネットを設け、それぞれ磁着するようにしても良い。
【００２０】
図４は、ノートパソコン１３３をキャリバッグ１０内に収納した状態の一部破断断面図である。
【００２１】
図５は、図４から引出部１３に載置しているノートパソコン１３３を取手１３２により一部引き出した状態の一部破断断面図である。なお、図３の上下の引出部１３にはチャンネル状のレール１６を設け、このレール１６はキャリバッグ１０側に固定したストッパー１７をガイドとして引出部１３をキャリバッグ１０よりスムーズに出し入れすることを可能にしている。
【００２２】
さらに、前記ノートパソコン１３を収納した引出部１３の周囲のキャリバッグ１０には発砲スチロールを敷き詰めて緩衝材１８としての役割をしている。
【産業上の利用可能性】
【００２３】
本考案ではキャリバッグの収容部にノートパソコンを収容できるようにしたので、ノートパソコンを忘れることなくキャリバッグのみを携帯することができ、忘失することも少なくなる。
【図１】
0003209955.tif 000003
【図２】
0003209955.tif 000004
【図３】
0003209955.tif 000005
【図４】
0003209955.tif 000006
【図５】
0003209955.tif 000007
【手続補正書】
【提出日】平成29年2月15日(2017.2.15)
【手続補正１】
【補正対象書類名】実用新案登録請求の範囲
【補正対象項目名】全文
【補正方法】変更
【補正の内容】
【実用新案登録請求の範囲】
【請求項１】
衣類等の日用品を収納し、伸縮棒の引き出し長さを調整してキャスターにより運搬可能なキャリバッグであって、該バックの周囲をファスナーにより、前記衣類等の日用品を収納する第１のケースと引出部を設けた第２のケースとに分離し、前記第２のケースはノートパソコンを収納する収容部を有するとともに、その周囲を発砲スチロール等の緩衝材で保護形成したことを特徴とするキャリバッグ。
【請求項２】
前記収容部には前記キャリバッグ側との間にレール構造を設けたことを特徴とする請求項１に記載のキャリバッグ。
【請求項３】
前記ノートパソコンを収納する収容部がキャリバッグの衝撃により開放しないように、前記収容部かキャリバッグ側のいずれかにマグネットを備えたことを特徴とする請求項１又は２に記載のキャリバッグ。
【請求項４】
前記ノートパソコンを収納する収容部を引き出す取手を、キャリバッグの外側の前記収容部に設けたことを特徴とする請求項３に記載のキャリバッグ。